(57)【特許請求の範囲】
【請求項１】
作物を脱穀処理する脱穀部と、
脱穀処理物を搬送しながら選別処理する選別部と、が備えられ、
前記選別部に、脱穀処理物を粗選別する第一選別部と、前記第一選別部の下方に位置し、脱穀処理物を精選別する第二選別部と、が備えられ、
前記第二選別部の下方に位置し、選別処理物を貯留のために回収する第一回収部と、
前記選別部の搬送方向において前記第一回収部よりも下手側に位置し、選別処理物を再選別のために回収する第二回収部と、
前記第二選別部の下方に位置するとともに前下がりの傾斜形状に形成され、前記第二選別部を通過した選別処理物を前記第一回収部に向けて流下案内するガイド部と、
前記第二選別部の搬送終端部と前記ガイド部の後上端部との間の隙間の大きさを調整可能な調整機構と、
前記搬送方向において前記第一選別部よりも下手側に位置するストローラックと、
前記搬送方向と直行する方向に沿って延び、前記ストローラックの搬送始端部を支持する支持部材と、
前記搬送方向において前記第一選別部よりも下手側かつ、前記ストローラックの下方に位置し、前記第一選別部を通過した選別処理物をさらに選別する第三選別部と、が備えられており、
前記支持部材のうち前記搬送方向における上手側端部に、前下がりの傾斜面が形成され、
前記調整機構に、前記ガイド部の後上端部に支持された板状の下側調整部材が備えられており、
前記下側調整部材は、前記下側調整部材の後端部が前記第二選別部の搬送終端部と前記第三選別部の搬送始端部との間に入り込んで前記第二選別部の搬送終端部の上端部よりも上方側かつ前記支持部材の前端部よりも下手側に位置する状態と、前記下側調整部材の後端部が前記第二選別部の搬送終端部の上端部よりも下方側かつ前記支持部材の前端部よりも上手側に位置する状態と、に変更可能であるコンバイン。
【請求項２】
作物を脱穀処理する脱穀部と、
脱穀処理物を搬送しながら選別処理する選別部と、が備えられ、
前記選別部に、脱穀処理物を粗選別する第一選別部と、前記第一選別部の下方に位置し、脱穀処理物を精選別する第二選別部と、が備えられ、
前記第二選別部の下方に位置し、選別処理物を貯留のために回収する第一回収部と、
前記選別部の搬送方向において前記第一回収部よりも下手側に位置し、選別処理物を再選別のために回収する第二回収部と、
前記第二選別部の下方に位置するとともに前下がりの傾斜形状に形成され、前記第二選別部を通過した選別処理物を前記第一回収部に向けて流下案内するガイド部と、
前記第二選別部の搬送終端部と前記ガイド部の後上端部との間の隙間の大きさを調整可能な調整機構と、が備えられており、
前記第一選別部に、前記搬送方向に沿って並べられた複数のチャフリップを有するチャフシーブが備えられ、
前記第二選別部に、前記チャフシーブの搬送終端部の最後尾チャフリップに対して一つ上手側に位置するチャフリップの下方に対応する位置まで後方に延ばされたグレンシーブが備えられ、
前記調整機構に、前記第二選別部の搬送終端部に支持された板状の上側調整部材が備えられており、
前記上側調整部材は、前記上側調整部材が前記最後尾チャフリップの下方に位置しない短縮状態と、前記上側調整部材が前記最後尾チャフリップの下方に位置する延長状態と、に変更可能であるコンバイン。
【請求項３】
作物を脱穀処理する脱穀部と、
脱穀処理物を搬送しながら選別処理する選別部と、が備えられ、
前記選別部に、脱穀処理物を粗選別する第一選別部と、前記第一選別部の下方に位置し、脱穀処理物を精選別する第二選別部と、が備えられ、
前記第二選別部の下方に位置し、選別処理物を貯留のために回収する第一回収部と、
前記選別部の搬送方向において前記第一回収部よりも下手側に位置し、選別処理物を再選別のために回収する第二回収部と、
前記第二選別部の下方に位置するとともに前下がりの傾斜形状に形成され、前記第二選別部を通過した選別処理物を前記第一回収部に向けて流下案内するガイド部と、
前記第二選別部の搬送終端部と前記ガイド部の後上端部との間の隙間の大きさを調整可能な調整機構と、が備えられており、
前記調整機構に、前記第二選別部の搬送終端部に支持された板状の上側調整部材が備えられており、
前記第二選別部に、有孔領域部と、前記有孔領域部の後端側に設けられた無孔領域部と、が備えられ、
前記上側調整部材は、前記無孔領域部に、前記搬送方向に沿ってスライド可能に支持されているコンバイン。
【請求項４】
作物を脱穀処理する脱穀部と、
脱穀処理物を搬送しながら選別処理する選別部と、が備えられ、
前記選別部に、脱穀処理物を粗選別する第一選別部と、前記第一選別部の下方に位置し、脱穀処理物を精選別する第二選別部と、が備えられ、
前記第二選別部の下方に位置し、選別処理物を貯留のために回収する第一回収部と、
前記選別部の搬送方向において前記第一回収部よりも下手側に位置し、選別処理物を再選別のために回収する第二回収部と、
前記第二選別部の下方に位置するとともに前下がりの傾斜形状に形成され、前記第二選別部を通過した選別処理物を前記第一回収部に向けて流下案内するガイド部と、が備えられており、
前記第一選別部よりも前記搬送方向における上手側に、グレンパンが備えられ、
前記グレンパンのうち前記搬送方向における上手側箇所に、脱穀処理物に対して前記搬送方向における下手側への送り作用を行う波状部が備えられ、
前記グレンパンのうち前記搬送方向における下手側箇所に、平坦部が備えられており、
前記波状部の上面に、脱穀処理物を左右一方側から前記第一選別部の左右中央側へ案内する第一案内体が備えられ、
前記平坦部の上面に、左右他方側から前記左右中央側へ案内する第二案内体が備えられているコンバイン。
【請求項５】
前記第二選別部の搬送終端部と前記ガイド部の後上端部との間の隙間の大きさを調整可能な調整機構と、が備えられている請求項４に記載のコンバイン。
【請求項６】
前記調整機構に、前記ガイド部の後上端部に支持された板状の下側調整部材が備えられている請求項２、３、５のいずれか一項に記載のコンバイン。
【請求項７】
前記下側調整部材は、前記下側調整部材の後端部が前記第二選別部の搬送終端部の上端部よりも上方に位置する状態に状態変更可能である請求項１又は６に記載のコンバイン。
【請求項８】
前記下側調整部材は、前記下側調整部材の後端部が前記第一選別部の搬送終端部よりも後方に位置する状態に状態変更可能である請求項１、６、７のいずれか一項に記載のコンバイン。
【請求項９】
前記下側調整部材は、前記ガイド部に、前記ガイド部の延び方向に沿ってスライド可能に支持されている請求項１、６〜８のいずれか一項に記載のコンバイン。
【請求項１０】
前記搬送方向において前記第一選別部よりも下手側に、前記第一選別部を通過した選別処理物をさらに選別する第三選別部が備えられ、
前記下側調整部材は、前記第二選別部の搬送終端部と前記第三選別部の搬送始端部との間に入り込み可能である請求項１、６〜９のいずれか一項に記載のコンバイン。
【請求項１１】
前記搬送方向において前記第一選別部よりも下手側にストローラックが備えられ、
前記ストローラックの搬送始端部を支持する支持部材が備えられ、
前記支持部材のうち前記搬送方向における上手側箇所に、前下がりの傾斜面が形成されている請求項２〜１０のいずれか一項に記載のコンバイン。
【発明の詳細な説明】
【技術分野】
【０００１】
本発明は、作物を脱穀処理する脱穀部と、脱穀処理物を搬送しながら選別処理する選別部と、が備えられているコンバインに関する。
【背景技術】
【０００２】
従来のコンバインが、例えば、特許文献１に記載されている。このコンバインには、選別部に、脱穀処理物を粗選別する第一選別部（同文献では「チャフシーブ」）と、第一選別部の下方に位置し、脱穀処理物を精選別する第二選別部（同文献では「グレンシーブ」）と、が備えられている。また、このコンバインには、第二選別部の下方に位置し、選別処理物を貯留のために回収する第一回収部（同文献では「１番回収部」）と、選別部の搬送方向において第一回収部よりも下手側に位置し、選別処理物を再選別のために回収する第二回収部（同文献では「２番回収部」）と、第二選別部の下方に位置するとともに前下がりの傾斜形状に形成され、第二選別部を通過した選別処理物を第一回収部に向けて流下案内するガイド部と、が備えられている。
【先行技術文献】
【特許文献】
【０００３】
【特許文献１】特開２０１４−３３６５４号公報
【発明の概要】
【発明が解決しようとする課題】
【０００４】
ところで、収穫対象となる作物には、様々な種類があり、作物粒の脱穀選別ロスの低減を図るために積極的に再選別を行うことが可能な作物と、例えば作物粒の表面の汚れを極力少なくしたい等の理由から再選別をあまり行わないことが望ましい作物とがある。
しかし、従来の技術では、再選別を行う割合がある程度決まっており、収穫対象となる作物の種類に応じて再選別を行う割合を柔軟に変更できなかった。
【０００５】
このような実情に鑑み、収穫対象となる作物の種類に応じて再選別を行う割合を柔軟に変更できるコンバインの提供が望まれていた。
【課題を解決するための手段】
【０００６】
本発明のコンバインは、
作物を脱穀処理する脱穀部と、
脱穀処理物を搬送しながら選別処理する選別部と、が備えられ、
前記選別部に、脱穀処理物を粗選別する第一選別部と、前記第一選別部の下方に位置し、脱穀処理物を精選別する第二選別部と、が備えられ、
前記第二選別部の下方に位置し、選別処理物を貯留のために回収する第一回収部と、
前記選別部の搬送方向において前記第一回収部よりも下手側に位置し、選別処理物を再選別のために回収する第二回収部と、
前記第二選別部の下方に位置するとともに前下がりの傾斜形状に形成され、前記第二選別部を通過した選別処理物を前記第一回収部に向けて流下案内するガイド部と、
前記第二選別部の搬送終端部と前記ガイド部の後上端部との間の隙間の大きさを調整可能な調整機構と、
前記搬送方向において前記第一選別部よりも下手側に位置するストローラックと、
前記搬送方向と直行する方向に沿って延び、前記ストローラックの搬送始端部を支持する支持部材と、
前記搬送方向において前記第一選別部よりも下手側かつ、前記ストローラックの下方に位置し、前記第一選別部を通過した選別処理物をさらに選別する第三選別部と、が備えられており、
前記支持部材のうち前記搬送方向における上手側端部に、前下がりの傾斜面が形成され、
前記調整機構に、前記ガイド部の後上端部に支持された板状の下側調整部材が備えられており、
前記下側調整部材は、前記下側調整部材の後端部が前記第二選別部の搬送終端部と前記第三選別部の搬送始端部との間に入り込んで前記第二選別部の搬送終端部の上端部よりも上方側かつ前記支持部材の前端部よりも下手側に位置する状態と、前記下側調整部材の後端部が前記第二選別部の搬送終端部の上端部よりも下方側かつ前記支持部材の前端部よりも上手側に位置する状態と、に変更可能である。
【０００７】
本発明によると、脱穀部から選別部へ搬送された脱穀処理物は、第一選別部と第一選別部の下方に位置する第二選別部により選別処理され、選別部において第二選別部を漏下しなかった選別処理物のうち排出物以外の選別処理物は、ガイド部に案内されて第二選別部の下方に位置する第一回収部に回収されて貯留されるか、選別部の搬送方向において第一回収部よりも下手側に位置する第二回収部に回収されて再選別されるかのいずれかとなる。
ここで、第二選別部の搬送終端部とガイド部の後上端部との間に形成される隙間の大きさを調整可能な調整機構が備えられている。調整機構によりその隙間を大きくすることにより、選別処理物が第二選別部の搬送終端部から第一回収部に流れやすくなるとともに、第二回収物に流れにくくなり、再選別の割合が減少する。一方、調整機構によりその隙間を小さくすることにより、選別処理物が第二選別部の搬送終端部から第一回収部に流れにくくなるとともに第二回収部に流れやすくなり、再選別の割合が増加する。
したがって、本発明によると、調整機構により隙間の大きさを調整する作業を行うだけで、収穫対象となる作物の種類に応じて再選別を行う割合を柔軟に変更できる。
本構成によれば、下側調整部材によりガイド部材によって第一回収部に案内される選別処理物の割合を増加させることが可能となる。
本構成によれば、第二選別部の搬送終端部から落下して第三選別部の搬送始端部へ向かおうとする選別処理物を、下側調整部材により受け止められてガイド部材に案内され、第一回収部に流れやすくなる。
本構成によれば、下側調整部材を、下側調整部材の後端部が第二選別部の搬送終端部の上端部よりも上方側に位置する状態とすることにより、第二選別部の搬送終端部に搬送された選別処理物の殆どが下側調整部材に当たってガイド部材に案内されて、第一回収部に流れるものとなる。これにより、第二回収部に選別処理物が流れにくくなり、再選別の割合を減少させることができる。
【０００８】
本発明のコンバインは、
作物を脱穀処理する脱穀部と、
脱穀処理物を搬送しながら選別処理する選別部と、が備えられ、
前記選別部に、脱穀処理物を粗選別する第一選別部と、前記第一選別部の下方に位置し、脱穀処理物を精選別する第二選別部と、が備えられ、
前記第二選別部の下方に位置し、選別処理物を貯留のために回収する第一回収部と、
前記選別部の搬送方向において前記第一回収部よりも下手側に位置し、選別処理物を再選別のために回収する第二回収部と、
前記第二選別部の下方に位置するとともに前下がりの傾斜形状に形成され、前記第二選別部を通過した選別処理物を前記第一回収部に向けて流下案内するガイド部と、
前記第二選別部の搬送終端部と前記ガイド部の後上端部との間の隙間の大きさを調整可能な調整機構と、が備えられており、
前記第一選別部に、前記搬送方向に沿って並べられた複数のチャフリップを有するチャフシーブが備えられ、
前記第二選別部に、前記チャフシーブの搬送終端部の最後尾チャフリップに対して一つ上手側に位置するチャフリップの下方に対応する位置まで後方に延ばされたグレンシーブが備えられ、
前記調整機構に、前記第二選別部の搬送終端部に支持された板状の上側調整部材が備えられており、
前記上側調整部材は、前記上側調整部材が前記最後尾チャフリップの下方に位置しない短縮状態と、前記上側調整部材が前記最後尾チャフリップの下方に位置する延長状態と、に変更可能である。
【０００９】
本発明によると、脱穀部から選別部へ搬送された脱穀処理物は、第一選別部と第一選別部の下方に位置する第二選別部により選別処理され、選別部において第二選別部を漏下しなかった選別処理物のうち排出物以外の選別処理物は、ガイド部に案内されて第二選別部の下方に位置する第一回収部に回収されて貯留されるか、選別部の搬送方向において第一回収部よりも下手側に位置する第二回収部に回収されて再選別されるかのいずれかとなる。
ここで、第二選別部の搬送終端部とガイド部の後上端部との間に形成される隙間の大きさを調整可能な調整機構が備えられている。調整機構によりその隙間を大きくすることにより、選別処理物が第二選別部の搬送終端部から第一回収部に流れやすくなるとともに、第二回収物に流れにくくなり、再選別の割合が減少する。一方、調整機構によりその隙間を小さくすることにより、選別処理物が第二選別部の搬送終端部から第一回収部に流れにくくなるとともに第二回収部に流れやすくなり、再選別の割合が増加する。
したがって、本発明によると、調整機構により隙間の大きさを調整する作業を行うだけで、収穫対象となる作物の種類に応じて再選別を行う割合を柔軟に変更できる。
本構成によれば、第二選別部における選別処理物の搬送距離を、上側調整部材により延ばすことが可能となる。
本構成によれば、上側調整部材を短縮状態にすることにより、第一選別部におけるチャフシーブの最後尾チャフリップの近傍から落下する選別処理物が上側調整部材に当たりにくくなって、第一回収部に流れやすくなり、再選別を行う割合を減少させることができる。一方、上側調整部材を延長状態にすることにより、第一選別部におけるチャフシーブの最後尾チャフリップの近傍から落下する選別処理物が上側調整部材に当たりやすくなって、上側調整部材により第二回収部へと搬送されやすくなり、再選別を行う割合を増加させることができる。
【００１０】
本発明のコンバインは、
作物を脱穀処理する脱穀部と、
脱穀処理物を搬送しながら選別処理する選別部と、が備えられ、
前記選別部に、脱穀処理物を粗選別する第一選別部と、前記第一選別部の下方に位置し、脱穀処理物を精選別する第二選別部と、が備えられ、
前記第二選別部の下方に位置し、選別処理物を貯留のために回収する第一回収部と、
前記選別部の搬送方向において前記第一回収部よりも下手側に位置し、選別処理物を再選別のために回収する第二回収部と、
前記第二選別部の下方に位置するとともに前下がりの傾斜形状に形成され、前記第二選別部を通過した選別処理物を前記第一回収部に向けて流下案内するガイド部と、
前記第二選別部の搬送終端部と前記ガイド部の後上端部との間の隙間の大きさを調整可能な調整機構と、が備えられており、
前記調整機構に、前記第二選別部の搬送終端部に支持された板状の上側調整部材が備えられており、
前記第二選別部に、前記有孔領域部と、有孔領域部の後端側に設けられた無孔領域部と、が備えられ、
前記上側調整部材は、前記無孔領域部に、前記搬送方向に沿ってスライド可能に支持されている。
【００１１】
本発明によると、脱穀部から選別部へ搬送された脱穀処理物は、第一選別部と第一選別部の下方に位置する第二選別部により選別処理され、選別部において第二選別部を漏下しなかった選別処理物のうち排出物以外の選別処理物は、ガイド部に案内されて第二選別部の下方に位置する第一回収部に回収されて貯留されるか、選別部の搬送方向において第一回収部よりも下手側に位置する第二回収部に回収されて再選別されるかのいずれかとなる。
ここで、第二選別部の搬送終端部とガイド部の後上端部との間に形成される隙間の大きさを調整可能な調整機構が備えられている。調整機構によりその隙間を大きくすることにより、選別処理物が第二選別部の搬送終端部から第一回収部に流れやすくなるとともに、第二回収物に流れにくくなり、再選別の割合が減少する。一方、調整機構によりその隙間を小さくすることにより、選別処理物が第二選別部の搬送終端部から第一回収部に流れにくくなるとともに第二回収部に流れやすくなり、再選別の割合が増加する。
したがって、本発明によると、調整機構により隙間の大きさを調整する作業を行うだけで、収穫対象となる作物の種類に応じて再選別を行う割合を柔軟に変更できる。
本構成によれば、第二選別部における選別処理物の搬送距離を、上側調整部材により延ばすことが可能となる。
本構成によれば、上側調整部材が無孔領域部においてスライド可能となっているので、上側調整部材が有孔領域部における選別処理物の漏下の妨げとならず、第二選別部における選別効率が低下することを回避できる。
【００１２】
本発明のコンバインは、
作物を脱穀処理する脱穀部と、
脱穀処理物を搬送しながら選別処理する選別部と、が備えられ、
前記選別部に、脱穀処理物を粗選別する第一選別部と、前記第一選別部の下方に位置し、脱穀処理物を精選別する第二選別部と、が備えられ、
前記第二選別部の下方に位置し、選別処理物を貯留のために回収する第一回収部と、
前記選別部の搬送方向において前記第一回収部よりも下手側に位置し、選別処理物を再選別のために回収する第二回収部と、
前記第二選別部の下方に位置するとともに前下がりの傾斜形状に形成され、前記第二選別部を通過した選別処理物を前記第一回収部に向けて流下案内するガイド部と、が備えられており、
前記第一選別部よりも前記搬送方向における上手側に、グレンパンが備えられ、
前記グレンパンのうち前記搬送方向における上手側箇所に、脱穀処理物に対して前記搬送方向における下手側への送り作用を行う波状部が備えられ、
前記グレンパンのうち前記搬送方向における下手側箇所に、平坦部が備えられており、
前記波状部の上面に、脱穀処理物を左右一方側から前記第一選別部の左右中央側へ案内する第一案内体が備えられ、
前記平坦部の上面に、左右他方側から前記左右中央側へ案内する第二案内体が備えられているコンバイン。
【００１３】
本構成によれば、グレンパンの波状部により脱穀処理物が選別部の搬送方向の下手側へ送られ、グレンパンの平坦部において脱穀処理物が拡散されながら第一選別部に向けて搬送される。これにより、第一選別部に搬送される脱穀処理物が偏ることが回避され、第一選別部における選別効率を良好なものにできる。
本構成によれば、脱穀処理物が、第一案内体と第二案内体とにより、左右中央側へ集められて、第一選別部に搬送されるので、第一選別部において脱穀処理物が左右のいずれかに偏ることが回避され、第一選別部における選別効率を良好なものにできる。
【００１４】
上記構成において、前記第二選別部の搬送終端部と前記ガイド部の後上端部との間の隙間の大きさを調整可能な調整機構と、が備えられていると好ましい。
【００１５】
本発明によると、脱穀部から選別部へ搬送された脱穀処理物は、第一選別部と第一選別部の下方に位置する第二選別部により選別処理され、選別部において第二選別部を漏下しなかった選別処理物のうち排出物以外の選別処理物は、ガイド部に案内されて第二選別部の下方に位置する第一回収部に回収されて貯留されるか、選別部の搬送方向において第一回収部よりも下手側に位置する第二回収部に回収されて再選別されるかのいずれかとなる。
ここで、第二選別部の搬送終端部とガイド部の後上端部との間に形成される隙間の大きさを調整可能な調整機構が備えられている。調整機構によりその隙間を大きくすることにより、選別処理物が第二選別部の搬送終端部から第一回収部に流れやすくなるとともに、第二回収物に流れにくくなり、再選別の割合が減少する。一方、調整機構によりその隙間を小さくすることにより、選別処理物が第二選別部の搬送終端部から第一回収部に流れにくくなるとともに第二回収部に流れやすくなり、再選別の割合が増加する。
したがって、本発明によると、調整機構により隙間の大きさを調整する作業を行うだけで、収穫対象となる作物の種類に応じて再選別を行う割合を柔軟に変更できる。
【００１６】
上記構成において、
前記調整機構に、前記ガイド部の後上端部に支持された板状の下側調整部材が備えられていると好適である。
【００１７】
本構成によれば、下側調整部材によりガイド部材によって第一回収部に案内される選別処理物の割合を増加させることが可能となる。
【００１８】
上記構成において、
前記下側調整部材は、前記下側調整部材の後端部が前記第二選別部の搬送終端部の上端部よりも上方に位置する状態に状態変更可能であると好適である。
【００１９】
本構成によれば、下側調整部材を、下側調整部材の後端部が第二選別部の搬送終端部の上端部よりも上方に位置する状態とすることにより、第二選別部の搬送終端部に搬送された選別処理物の殆どが下側調整部材に当たってガイド部材に案内されて、第一回収部に流れるものとなる。これにより、第二回収部に選別処理物が流れにくくなり、再選別の割合を減少させることができる。
【００２０】
上記構成において、
前記下側調整部材は、前記下側調整部材の後端部が前記第一選別部の搬送終端部よりも後方に位置する状態に状態変更可能であると好適である。
【００２１】
本構成によれば、下側調整部材を、下側調整部材の後端部が第一選別部の搬送終端部よりも後方に位置する状態とすることにより、第一選別部の搬送終端部から落下した選別処理物が下側調整部材により受け止められてガイド部材に案内され、第一回収部に流れやすくなる。これにより、第二回収部に選別処理物が流れにくくなり、再選別の割合を減少させることができる。
【００２２】
上記構成において、
前記下側調整部材は、前記ガイド部に、前記ガイド部の延び方向に沿ってスライド可能に支持されていると好適である。
【００２３】
本構成によれば、第一回収部に向けて選別処理物を案内するガイド部の延び方向に沿って下側調整部材をスライド可能であるので、ガイド部の傾斜に沿って下側調整部材を出退できるものとなる。
【００２４】
上記構成において、
前記搬送方向において前記第一選別部よりも下手側に、前記第一選別部を通過した選別処理物をさらに選別する第三選別部が備えられ、
前記下側調整部材は、前記第二選別部の搬送終端部と前記第三選別部の搬送始端部との間に入り込み可能であると好適である。
【００２５】
本構成によれば、第二選別部の搬送終端部から落下して第三選別部の搬送始端部へ向かおうとする選別処理物を、下側調整部材により受け止められてガイド部材に案内され、第一回収部に流れやすくなる。
【００２６】
【００２７】
【００２８】
【００２９】
【００３０】
上記構成において、
前記搬送方向において前記第一選別部よりも下手側にストローラックが備えられ、
前記ストローラックの搬送始端部を支持する支持部材が備えられ、
前記支持部材のうち前記搬送方向における上手側箇所に、前下がりの傾斜面が形成されていると好適である。
【００３１】
本構成によれば、第一選別部の搬送終端部から搬送されてきた排出物を含む選別処理物がストローラックの支持部材に当たると、選別処理物は、支持部材の前下がりの傾斜面に沿ってスムーズに流下する。これにより、例えば、支持部材の前端が上方に曲げられているものに比べて、支持部材に選別処理物や排出物が滞留しにくいものにできる。
【図面の簡単な説明】
【００３２】
【図１】普通型コンバインの左側面図である。
【図２】脱穀装置の構造を示す左側面図である。
【図３】選別部を示す平面図である。
【図４】唐箕の周辺を示す左側面図である。
【図５】調整機構の周辺を示す左側面図である。
【図６】第二選別部の周辺を正面視の断面図である。
【図７】第二選別部の周辺を示す斜視図である。
【図８】調整機構の周辺を示す左側面図である。
【発明を実施するための形態】
【００３３】
〔全体構成〕
図１に示される普通型コンバイン（「コンバイン」に相当）の機体フレーム１０は、左右一対のクローラ走行装置１１に搭載されている。機体フレーム１０には、作物を脱穀処理する脱穀装置１２、及び、作物を貯留及び排出する作物回収装置１３が左右に並列して配備されている。作物回収装置１３の前方には、運転キャビン１４が搭載されている。脱穀装置１２の前方側には、刈取搬送装置１５が設けられている。運転キャビン１４の下部側には、クローラ走行装置１１、刈取搬送装置１５、脱穀装置１２、及び、作物回収装置１３を駆動するための動力を供給するエンジン１６が搭載されている。
【００３４】
刈取搬送装置１５には、後端側の横向き支点Ｘ周りで上下揺動自在に、刈取作物の搬送用のフィーダ１７が連結されている。フィーダ１７の前端側には、刈取部１８が連結されている。刈取部１８には、バリカン型の刈刃１９が備えられている。刈刃１９は、略機体横幅に相当する刈幅を有している。刈刃１９により植立作物を刈り取り、刈り取られた刈取作物が、フィーダ１７に送り込まれる。フィーダ１７には、掻き揚げコンベア２０が内装されている。刈取部１８から供給された作物は、フィーダ１７の底面に沿って搬送され、脱穀装置１２に供給される。
【００３５】
この普通型コンバインは、麦や秋そば等の再選別を行うことが可能な作物を収穫するのに適した状態と、大豆等の豆類や夏そば等の再選別をあまり行わないことが望ましい作物を収穫するのに適した状態と、を簡単に仕様変更可能なものとなっている。
【００３６】
脱穀装置１２に投入された作物は、図２に示される脱穀装置１２内で、脱穀処理、及び、選別処理がなされる。選別処理物である作物粒は作物回収装置１３に送られ、作物回収装置１３に貯留された作物粒は、アンローダ２１により外部へ取り出し可能となっている。選別処理後の排出物は、排出物を案内する案内ハンプ２２Ａに案内されて、脱穀装置１２の後端部の排塵口２２から外部へ落下放出される。
【００３７】
〔脱穀装置について〕
図２に示されるように、脱穀装置１２には、作物を脱穀処理する脱穀部２３と、脱穀処理後の脱穀処理物を搬送しながら選別処理する選別部２４と、が備えられている。
【００３８】
脱穀部２３は、脱穀ケース２５の内部の上部箇所に位置している。脱穀部２３には、回転軸心Ｚを走行機体の前後方向に沿わせた軸流形の扱胴２６が備えられている。
【００３９】
選別部２４は、脱穀ケース２５内部の下部箇所に位置している。選別部２４には、扱胴２６の下方に位置し、被処理物を前方から後方へ向けて揺動移送する揺動選別装置３０が備えられている。
【００４０】
脱穀装置１２では、脱穀部２３における脱穀処理方向、及び、選別部２４における選別処理方向が、走行機体の前後方向に沿うように設定されている。そして、脱穀装置１２では、被処理物の移送方向の上手側が走行機体の前方側となり、脱穀処理物の移送方向の下手側が走行機体の後方側となるように設定されている。
【００４１】
脱穀ケース２５は、扱胴２６を支持する前支持板３２と、後支持板３３と、左右両側に位置する横側板３４と、天井部を構成する上部カバー３５と、底板３６と、が備えられている。これにより、脱穀ケース２５は、矩形箱状に形成されている。
【００４２】
脱穀ケース２５内における脱穀部２３には、丸パイプにより構成される多数の扱ぎ歯３７を立設した前後方向に沿った扱き歯支持体３８が、周方向に所定間隔を空けて複数箇所に備えられている。つまり、脱穀部２３には、バータイプに構成された扱胴２６が備えられている。扱胴２６は、前後向きの回転軸心Ｚまわりで回転自在に、かつ、正面視で時計回り方向に回転するように、脱穀ケース２５側に支持されている。扱胴２６の前端部には、螺旋羽根３９を備えた掻込送り部３１が連設されている。各扱ぎ歯支持体３８は、掻込送り部３１に連結された壁状の前板部４８Ａ、前板部４８Ａよりも後方に位置する板状の中間支持板部４８Ｂ、中間支持板部４８Ｂよりも後方に位置する板状の後板部４８Ｃに、一体的に支持されている。中間支持板部４８Ｂは、扱胴２６の前後中央部に位置している。各扱ぎ歯支持体３８よりも回転軸心Ｚ側には、脱穀処理物が入り込み可能な内部空間Ｉが形成されている。扱胴２６を駆動することにより、内部空間Ｉに脱穀処理物が退避可能で、しかも、内部空間Ｉにおいて脱穀処理物が撹拌されることにより、脱穀処理が促進される。
【００４３】
扱胴２６の下方側には、前後方向視で下向きに凸曲した円弧状の受網４０が設けられている。受網４０によって脱穀ケース２５内の空間が上下に区画されている。つまり、受網４０よりも上方側における空間は、扱胴２６を内装する扱室となっている。扱室に配備された扱胴２６、及び、受網４０等により脱穀部２３が構成されている。受網４０よりも下側における空間は、揺動選別装置３０等を内装する選別室となっている。選別室に配備された揺動選別装置３０や風選装置４５等により選別部２４が構成されている。
【００４４】
脱穀部２３では、フィーダ１７によって供給口４１から送り込まれた刈取作物の株元から先端先までの全体を、被処理物として扱胴２６と受網４０との間に送り込んで脱穀処理し、脱穀処理によって得られた脱穀処理物を受網４０から選別部２４に漏下させる。また、脱穀部２３では、再選別のために第一戻し口４２Ａ、及び、第二戻し口４２Ｂから戻された選別処理物を、扱胴２６と受網４０との間に送り込んで脱穀処理し、脱穀処理によって得られた脱穀処理物を受網４０から選別部２４に漏下させる。
【００４５】
選別部２４には、受網４０の下方に位置する揺動選別装置３０が設けられている。揺動選別装置３０は、後端部に備えた偏心カム式の駆動機構４３が作動することで、上下運動を伴いながら前後方向に揺動する。図２、図４に示されるように、揺動選別装置３０の前部側における下方位置には、風選装置４５の送風手段としての唐箕４６が配備されている。唐箕４６は、図２、図４に示されるように、左側面視で反時計回りに回転する回転羽根４７によって選別風を発生させる。揺動選別装置３０は、揺動しながら受網４０から漏下した脱穀処理物を受け止め、受け止めた脱穀処理物を選別対象の処理物として選別処理方向下手側に移送しながら篩い選別し、かつ、唐箕４６からの選別風によって風力選別するように構成されている。
【００４６】
図２、図５、図８に示されるように、揺動選別装置３０での選別処理方向における上手側相当箇所の下方には、第一回収部５０（一番回収部）が備えられ、選別部２４の搬送方向において第一回収部５０よりも下手側に位置する第二回収部５１（二番回収部）が備えられている。
【００４７】
図２に示される第一回収部５０は、後述する第一選別部６１、及び、第二選別部５４の下方に位置している。第一回収部５０は選別処理物を貯留のために回収するように構成されている。具体的には、第一回収部５０に回収された選別処理物は、図２に示されるバケットコンベア等により構成される揚送装置５５を介して、作物回収装置１３に搬送される。
【００４８】
第二回収部５１は、選別処理物を再選別のために回収するように構成されている。第二回収部５１の底部に流下した二番物は、図２に示されるバケットコンベア等により構成される二番還元装置５６を介して、二番物を揚送し揺動選別装置３０に還元する。二番物は、二番還元装置５６により、脱穀部２３の始端側に形成された第一戻し口４２Ａ、及び、第二戻し口４２Ｂから脱穀部２３に戻され、再度、脱穀処理、及び、選別処理が行われる。
【００４９】
図５、図８等に示されるように、シーブケース５７には、第二選別部５４の下方に位置するとともに前下がりの傾斜形状に形成され、第二選別部５４を通過した選別処理物を第一回収部５０に向けて流下案内するガイド部５８が備えられている。シーブケース５７は、樹脂製とされている。
【００５０】
図２、図５等に示されるように、第一回収部５０の底部、及び、第二回収部５１の底部には、それぞれ、作物粒搬送用のスクリューが内装されている。第一回収部５０の底部に流下した一番物は揚送装置５５を介して、作物回収装置１３に搬送される。第二回収部５１の底部に流下した二番物は、二番還元装置５６を介して、二番物を揚送し揺動選別装置３０に還元する。
【００５１】
図２に示される受網４０は、扱胴２６の回転軸心Ｚに沿う方向視で、扱胴２６の下方側におけるほぼ半周にわたる範囲を覆うように、下向きに凸曲した円弧状に形成されている。受網４０は、扱胴２６の回転軸心Ｚに直交する方向視では、扱胴２６の軸線方向に沿った直線状に形成されている。
【００５２】
〔揺動選別装置について〕
図２等に示される揺動選別装置３０には、上述のシーブケース５７が備えられている。シーブケース５７は、図示はしないが前部側が脱穀ケース２５に前後方向でスライド移動可能に支持されている。
【００５３】
シーブケース５７の後部は、偏心輪を利用した周知の偏心カム式の駆動機構４３で支持されている。したがって、駆動機構４３の偏心輪が回転駆動されるに伴って、シーブケース５７の後部が上下運動を伴いながら前後方向に揺動駆動される。
【００５４】
揺動選別装置３０の作動により、受網４０を漏下した脱穀処理物が、比重選別、及び、風力選別の作用を受けながら作物粒を含む選別処理物と排出物とに選別処理されるようになっている。
【００５５】
シーブケース５７には、図２〜図４に示されるように、選別処理物の移送方向での上手側に波板状の前部グレンパン６０（「グレンパン」に相当）が備えられている。第一選別部６１よりも搬送方向における上手側には、前部グレンパン６０が備えられている。前部グレンパン６０のうち搬送方向における上手側箇所には、脱穀処理物に対して搬送方向における下手側への送り作用を行う波状部６２が備えられている。前部グレンパン６０のうち搬送方向における下手側箇所には、平坦部６３が備えられている。
【００５６】
図２〜図４に示されるように、波状部６２の上面には、脱穀処理物を左右一方側から第一選別部６１の左右中央側へ案内する第一案内体６４が備えられている。平坦部６３の上面には、左右他方側から左右中央側へ案内する第二案内体６５が備えられている。
【００５７】
図２〜図４に示されるように、第一案内体６４には、一対の上下方向に沿って延びる縦板状の第一案内部６６が備えられている。一対の第一案内部６６の間を処理物が案内される。一対の第一案内部６６は、第一戻し口４２Ａ、及び、第二戻し口４２Ｂから後方に向かうにつれて、選別部２４の右端側から選別部２４の左右中央側に向かうように傾斜している。
【００５８】
図２〜図４に示されるように、第二案内体６５には、平坦部６３に取り付けられる取付部６８と、取付部６８に連設される上下方向に沿って延びる第二案内部６９と、が備えられている。第二案内部６９は、後方に向かうにつれて、選別部２４の左端側から選別部２４の左右中央側に向かうように傾斜している。第二案内部６９は、平坦部６３とグレンシーブ７０とに亘るような配置とされている。
【００５９】
図２、図５、図８に示されるように、選別部２４には、脱穀処理物を粗選別する第一選別部６１と、第一選別部６１の下方に位置し、脱穀処理物を精選別する第二選別部５４と、搬送方向において第一選別部６１よりも下手側に位置し、第一選別部６１を通過した選別処理物をさらに選別する第三選別部７１と、が備えられている。
【００６０】
図４等に示される第一選別部６１は、前部グレンパン６０よりも被処理物の移送方向での下手側に備えられている。第一選別部６１は、前部グレンパン６０の搬送終端に引き続いて被処理物を後方搬送する。第一選別部６１の始端部は、前部グレンパン６０よりも低く位置する状態で配設されている。第一選別部６１には、搬送方向に沿って並べられた複数の第一チャフリップ７２を有する第一チャフシーブ７３が備えられている。各第一チャフリップ７２は、樹脂製とされている。
【００６１】
図２、図５等に示されるように、第一選別部６１は、その搬送面が移送方向での下手側ほど少し高くなるように、後方上がりに緩やかに傾斜した姿勢で設けられている。第一選別部６１の搬送面とは、複数の第一チャフリップ７２の上端縁同士をつなぐ仮想面である。説明を加えると、第一選別部６１の搬送面は、第一選別部６１を構成する多数の第一チャフリップ７２の上面側に載った被処理物を、シーブケース５７全体の揺動運動に伴って移送方向での下手側へ送るための搬送面である。第一選別部６１では、第一チャフリップ７２間に形成される通路から選別処理粒を漏下させるようになっている。なお、全ての第一チャフリップ７２に連結される第一角度変更機構により、全ての第一チャフリップ７２の傾斜角度を一体的に変更可能となっており、これにより、第一チャフリップ７２間の通路の大きさや傾斜角度を変更できるようになっている。
【００６２】
図２、図４、図５等に示されるように、第一選別部６１の下方側には、第一選別部６１の前部から漏下する被処理物を受け止めて後方送りするための波板状に形成された中継グレンパン７４が設けられている。中継グレンパン７４の後端部に引き続いて、精選別用の第二選別部５４が設けられている。
【００６３】
図３、図５、図７、図８に示されるように、第二選別部５４には、グレンシーブ７０と、上側調整部材７５と、が備えられている。第二選別部５４のグレンシーブ７０には、有孔領域部７６と、有孔領域部７６の後端側に設けられた無孔領域部７７と、が備えられている。有孔領域部７６は、多数の透孔７８が形成されたパンチングメタルによって構成されている。第二選別部５４に形成された透孔７８は、一般的な円形孔ではなく、矩形状に形成されている。このように、透孔７８を矩形孔とすると、透孔７８を円形孔とした場合よりも、第二選別部５４の単位面積当たりの開口率を大きく確保し易い点で有利である。
【００６４】
図５、図８等に示されるように、第二選別部５４の後端部は、第一選別部６１の移送方向での後端部よりも搬送方向においてやや上手側に位置する程度にまで延設されている。第二選別部５４を通過した選別処理物はその大部分が第一回収部５０に向けて流下し、第一回収部５０から揚送装置５５を経て作物回収装置１３に回収される。
【００６５】
搬送方向において第一選別部６１よりも下手側には、排出物を排塵口２２に向けて搬送するストローラック７９が備えられている。そして、ストローラック７９の搬送始端部を支持する支持部材８０が備えられている。支持部材８０は、シーブケース５７に支持されている。支持部材８０のうち搬送方向における上手側箇所には、前下がりの傾斜面８１が形成されている。第一選別部６１の後端を超えた選別処理物は、支持部材８０を介してストローラック７９に搬送される。
【００６６】
第三選別部７１には、複数の第二チャフリップ８３を前後方向に並べて有する第二チャフシーブ８２が備えられている。各第二チャフリップ８３は、樹脂製とされている。第三選別部７１は、ストローラック７９の下方に位置している。第三選別部７１を漏下した選別処理物は、全て第二回収部５１に流下される。また、第三選別部７１を漏下せずに通過した選別処理物は、排塵口２２から排出される。
【００６７】
第三選別部７１では、第二チャフリップ８３間に形成される通路から選別処理粒を第二回収部５１に向けて漏下させるようになっている。なお、全ての第二チャフリップ８３に連結される第二角度変更機構（図５参照）により、各第二チャフリップ８３の傾斜角度を一体的に変更可能となっており、これにより、第二チャフリップ８３間の通路の大きさや傾斜角度を変更できるようになっている。
【００６８】
図２、図５等に示されるように、第三選別部７１は、その搬送面が移送方向での下手側ほど少し高くなるように、後方上がりに緩やかに傾斜した姿勢で設けられている。第三選別部７１の搬送面とは、複数の第二チャフリップ８３の上端縁同士をつなぐ仮想面である。説明を加えると、第三選別部７１の搬送面は、第三選別部７１を構成する多数の第二チャフリップ８３の上面側に載った被処理物を、シーブケース５７全体の揺動運動に伴って移送方向での下手側へ送るための搬送面である。
【００６９】
第一選別部６１の搬送終端側から落下する選別処理物の一部、第二選別部５４の搬送終端側から落下する選別処理物の一部、及び、第三選別部７１を漏下した選別処理物は、第二回収部５１に向けて流下し、二番還元装置５６を経て揺動選別装置３０の始端側、つまり、図２に示される第一戻し口４２Ａ、及び、第二戻し口４２Ｂから前部グレンパン６０の上側に還元される。第一戻し口４２Ａ、及び、第二戻し口４２Ｂは、脱穀部２３の前端側に位置している。第一戻し口４２Ａは、脱穀部２３の上部側に位置している。第二戻し口４２Ｂは、第一戻し口４２Ａよりも下方で、脱穀部２３の下部側に位置している。二番還元装置５６は、選別処理物を、第二回収部５１から鉛直上方に搬送してから不図示のスクリューにより水平方向に沿って前方へ送り、第一戻し口４２Ａ、及び、第二戻し口４２Ｂから脱穀部２３に戻すようになっている。
【００７０】
〔唐箕による風の流れについて〕
図４に示されるように、唐箕４６の後方には、第一導風部材８５、第一導風部材８５の下方に位置する第二導風部材８６、第二導風部材８６の下方に位置する第三導風部材８７、第一導風部材８５の上方に位置する第四導風部材８８が備えられている。第一導風部材８５、第二導風部材８６、第三導風部材８７、第四導風部材８８は、シーブケース５７に支持されている。
【００７１】
また、シーブケース５７には、第一風向板部８９、第一風向板部８９の下方に位置する第二風向板部９０、第二風向板部９０の下方に位置する第三風向板部９１、カバー部９２が備えられている。第一風向板部８９、第二風向板部９０、第三風向板部９１、カバー部９２は、シーブケース５７に支持されている。第一風向板部８９は、前部グレンパン６０の平坦部６３の下方に位置している。第二風向板部９０の前端部と第三風向板部９１の前端部とは連結されている。第二風向板部９０は、水平な上面と水平な下面とを有している。カバー部９２は、唐箕４６の上側に位置している。
【００７２】
図４に示されるように、唐箕４６で発生される風のうち第四導風部材８８の下面と第一導風部材８５の上面との間に形成される第一風路Ｗ１を案内される風は、第一風向板部８９の下面と第二風向板部９０の上面との間を通り、第一選別部６１の上方を流れ、脱穀部２３の受網４０の下面側から斜め上方に向けて吹き上がるようになっている。
また、唐箕４６で発生される風のうち第一導風部材８５の下面と第二導風部材８６の上面との間に形成される第二風路Ｗ２を案内される風は、第三風向板部９１の水平な下面と中継グレンパン７４の上面側との間を案内されて、風の一部が、第一チャフシーブ７３の下方から斜め上方に向けて吹き上がるようになっている。ここで、第三風向板部９１の下面を水平にしていることにより、第三風向板部９１の下面を案内される風が、第二選別部５４の搬送方向の下手側端部や、第三選別部７１の上側にまで流れやすくなっている。
また、唐箕４６で発生される風のうち第二導風部材８６の下面と第三導風部材８７の上面との間に形成される第三風路Ｗ３を案内される風は、第二選別部５４の下面側から斜め上方に向けて吹き上がるようになっている。
【００７３】
〔調整機構について〕
図５、図８に示されるように、第二選別部５４の搬送終端部とガイド部５８の後上端部との間の隙間Ｓの大きさを調整可能な調整機構１００が備えられている。
【００７４】
調整機構１００としては、第二選別部５４の搬送終端部に支持された板状の上側調整部材７５と、ガイド部５８の後上端部に支持された板状の下側調整部材１０１と、が備えられている。上側調整部材７５の後端部には、斜め下方に向けて曲げられた下曲げ部７５Ａが設けられている。下側調整部材１０１の後端部には、鉛直上方に向けて曲げられた上曲げ部１０１Ａが設けられている。
【００７５】
上側調整部材７５は、上側調整部材７５の後端部が第一チャフシーブ７３の搬送終端部の最後尾チャフリップ１０２の下端部の近傍位置よりも搬送方向における上手側に位置する第一短縮状態Ａ１（「短縮状態」に相当；図５参照）と、上側調整部材７５の後端部が最後尾チャフリップ１０２の上端部の近傍位置よりも搬送方向における下手側に位置する第一延長状態Ａ２（「延長状態」に相当；図８参照）と、に変更可能である。
【００７６】
図３、図５、図７、図８に示されるように、上側調整部材７５は、グレンシーブ７０の下側に位置している。これにより、上側調整部材７５とグレンシーブ７０との段差部に選別処理物が滞留しにくくなっている。
【００７７】
図３、図７、図８等に示されるように、上側調整部材７５には、左右一対の前後方向に沿った上側長孔１０３が形成されている。グレンシーブ７０の無孔領域部７７には、上側調整部材７５に設けられた上側長孔１０３に対応する位置に、それぞれ、上側溶接ボルト１０４が溶接固定されている。上側溶接ボルト１０４に上側調整部材７５の下方から上側ナット１０５を螺着して、上側溶接ボルト１０４の頭部と上側ナット１０５との間に、上側調整部材７５と無孔領域部７７とを挟み込んで固定可能となっている。
【００７８】
上側ナット１０５を緩めることにより、上側調整部材７５は、上側長孔１０３に沿って上側溶接ボルト１０４を移動させることにより、無孔領域部７７に対してスライド可能となっている。つまり、上側調整部材７５は、無孔領域部７７に、搬送方向に沿ってスライド可能に支持されている。
【００７９】
下側調整部材１０１は、下側調整部材１０１の後端部が支持部材８０の前端部よりも搬送方向における上手側に位置する第二短縮状態Ｂ１（図８参照）と、下側調整部材１０１の後端部が支持部材８０の前端部よりも搬送方向における下手側に位置する第二延長状態Ｂ２（図５参照）と、に変更可能である。
【００８０】
下側調整部材１０１は、第二延長状態Ｂ２とすることにより、下側調整部材１０１の後端部が第二選別部５４の搬送終端部の上端部よりも上方に位置する状態に状態変更可能となっている。下側調整部材１０１は、第二延長状態Ｂ２とすることにより、下側調整部材１０１の後端部が第一選別部６１の搬送終端部よりも後方に位置する状態に状態変更可能である。下側調整部材１０１は、第二延長状態Ｂ２とすることにより、第二選別部５４の搬送終端部と第三選別部７１の搬送始端部との間に入り込み可能である。
【００８１】
図７、図８等に示されるように、下側調整部材１０１は、ガイド部５８の上側に位置している。下側調整部材１０１には、３つの前後方向に長い下側長孔１０７が左右並びで形成されている。ガイド部５８には、下側調整部材１０１に設けられた下側長孔１０７に対応する位置に、それぞれ、下側溶接ボルト１０８が溶接固定されている。下側溶接ボルト１０８に下側調整部材１０１の上方から下側ナット１０９を螺着して、下側溶接ボルト１０８の頭部と下側ナット１０９との間に、下側調整部材１０１とガイド部５８を挟み込んで固定可能となっている。
下側ナット１０９を緩めることにより、下側調整部材１０１は、下側長孔１０７に沿って下側溶接ボルト１０８を移動させることにより、ガイド部５８に対してスライド可能となっている。つまり、下側調整部材１０１は、ガイド部５８に、ガイド部５８の延び方向に沿ってスライド可能に支持されている。
【００８２】
また、図２、図５に示されるように、ガイド部５８の下面には、ガイド部５８から第一回収部５０に向けて選別処理物を案内するゴム製で可撓性を有するハンプ部材１１０が備えられている。また、ガイド部５８には、ハンプ部材１１０の下側に、流下ガイド部材１１１が備えられている。ハンプ部材１１０と流下ガイド部材１１１とは、ガイド部５８にボルト等により共締めされている。流下ガイド部材１１１は、第三選別部７１の搬送始端部から落下した選別処理物を、第二回収部５１に向けて案内する部材となっている。
【００８３】
図１に示されるように、脱穀装置１２の選別部２４の左横外側には、開閉可能な第一カバー体１１５と、第一カバー体１１５の後方に位置する開閉可能な第二カバー体１１６と、が備えられている。第一カバー体１１５、及び、第二カバー体１１６の機体横内側には、図３、図６、図７に示されるように、選別部２４との間に、横面を有する板状の第一縦板体１１７と、第一縦板体１１７よりも選別部２４側に位置する前後方向に沿って延びる第二縦板体１１８が備えられている。第二縦板体１１８には、図２、図５、図７等に示されるように、第一点検口１２０と、第一点検口１２０の後方に位置する第二点検口１２１と、が開口されている。
【００８４】
つまり、第二選別部５４のグレンシーブ７０は、選別部２４の側方から第一点検口１２０を通じて着脱可能となっている。脱穀装置１２の選別部２４の右横内壁側には、前後一対の左右方向に延びる支持ピン１２２が設けられている。グレンシーブ７０の右側端部には、支持ピン１２２に対応する横向きのピン孔１２３が設けられている。また、グレンシーブ７０の左側端部には、下方から固定ボルト１２４を挿通可能な前後一対の固定孔１２５が設けられている。
【００８５】
グレンシーブ７０、及び、上側調整部材７５の着脱について詳しく説明する。
まず、第一カバー体１１５、及び、第二カバー体１１６を開放状態にし、第一縦板体１１７を露出される。そして、ノブボルト１２６を緩めて、第二縦板体１１８に固定された第一縦板体１１７を取り外し、第二縦板体１１８を露出させる。第二縦板体１１８に設けられた第一点検口１２０から工具を差し入れて、左右の固定ボルト１２４を緩める。そして、グレンシーブ７０を右方向に引っ張ると、支持ピン１２２とピン孔１２３の係合が解除される。これにより、グレンシーブ７０と上側調整部材７５とを、第一点検口１２０を通じて一体的に取り出すことができる。このため、グレンシーブ７０に対する上側調整部材７５の位置の調整を行うにあたり、シーブケース５７全体を取り外す必要がなく、グレンシーブ７０と上側調整部材７５のみを取り出して、簡単に調整作業を行うことができる。
【００８６】
上述のような調整機構１００を備えることにより、再選別の割合を変更できる。
例えば、大豆は、商品価値を低下させないために作物粒の表面の汚れを極力回避することが望ましく、さらに、莢から作物粒が比較的脱粒し易いこともあって、再選別はなるべく行わない方がよい。また、夏そばは、水分が多く、第二回収部５１に回収すると、二番還元装置５６に詰まりが生じやすくなるため、再選別を行わないことが望まれる。このような再選別をなるべく行わない方がよい作物の場合、例えば、図５に示されるように、上側調整部材７５を第一短縮状態Ａ１とし、下側調整部材１０１を第二延長状態Ｂ２とすることにより、第二選別部５４の搬送終端部とガイド部５８の後上端部との間の隙間Ｓを大きくして、第二回収部５１に選別処理物が流下する割合が最も低くなり、再選別をなるべく行わない選別処理を実現できる。
【００８７】
一方、例えば、麦は、藁等の夾雑物が作物粒に混在しやく、排塵口２２から排出される作物粒のロスを低減するために、再選別を行うことが望ましい。また、例えば、秋そばは、夏そばに比べて、水分含有量が比較的少なく、第二回収部５１に回収しても、二番還元装置５６に詰まりが比較的生じにくく、再選別を行うことが可能なものである。このような再選別を行うことが望ましい作物の場合、例えば、図８に示されるように、上側調整部材７５を第一延長状態Ａ２とし、下側調整部材１０１を第二短縮状態Ｂ１とすることにより、第二選別部５４の搬送終端部とガイド部５８の後上端部との間の隙間Ｓを小さくして、第二回収部５１に選別処理物が流下する割合が最も高くなり、再選別を好適に行う選別処理を実現できる。
【００８８】
このように、上側調整部材７５を第一短縮状態Ａ１と第一延長状態Ａ２との間で調整し、下側調整部材１０１を第二短縮状態Ｂ１と第二延長状態Ｂ２との間で調整することにより、選別処理物が第二回収部５１に流下する割合を、作物の種類に応じて柔軟に変更できる。
【００８９】
〔別実施形態〕
以下、本発明の別実施形態について説明する。下記の各別実施形態は、矛盾が生じない限り、複数組み合わせて上記実施形態に適用してもよい。なお、本発明の範囲は、これら実施形態の内容に限定されるものではない。
【００９０】
（１）上記実施形態では、調整機構１００は、上側調整部材７５、または、下側調整部材１０１をスライドさせて隙間Ｓの調整を行うことが可能なものとなっているが、これに限られない。例えば、上側調整部材７５や下側調整部材１０１を着脱式にして、上側調整部材７５や下側調整部材１０１の着脱により隙間Ｓの調整を行うことが可能な調整機構１００であってもよい。
【００９１】
（２）上記実施形態では、上側調整部材７５がグレンシーブ７０の下側に位置しているものが例示されているが、これに限られない。例えば、上側調整部材７５がグレンシーブ７０の上側に位置していてもよい。
【００９２】
（３）上記実施形態では、上側調整部材７５は、無孔領域部７７に、搬送方向に沿ってスライド可能に支持されているものが例示されているが、これに限られない。例えば、上側調整部材７５が、有孔領域部７６に、搬送方向に沿ってスライド可能に支持されていてもよい。
【００９３】
（４）上記実施形態では、調整機構１００に、上側調整部材７５と下側調整部材１０１とが備えられているものが例示されているが、これに限られない。調整機構１００に、上側調整部材７５と下側調整部材１０１のいずれか一方のみが備えられていてもよい。
【００９４】
（５）上記実施形態では、第一回収部５０の後方側に第二回収部５１が位置しているものが例示されているが、これに限られない。例えば、第二回収部５１の後方側に第一回収部５０が位置しているものであってもよい。
【００９５】
（６）上記実施形態では、波状部６２と平坦部６３とが備えられた前部グレンパン６０が例示されているが、これに限られない。例えば、波状部６２のみが備えられた前部グレンパンであってもよい。
【００９６】
（７）上記実施形態では、シーブケース５７、第一チャフリップ７２、及び、第二チャフリップ８３が樹脂製とされているものが例示されているが、これに限られない。例えば、シーブケース５７、第一チャフリップ７２、及び、第二チャフリップ８３のうち少なくともいずれかが金属製とされていてもよい。
【００９７】
（８）上記実施形態では、扱ぎ歯３７が丸パイプにより構成されているものが例示されていうが、これに限られない。例えば、扱ぎ歯３７は、角パイプ、角棒、丸棒等の他の部材により構成されてもよい。
【００９８】
（９）上記実施形態では、アンローダ２１が備えられた作物回収装置１３が例示されているが、これに限られない。例えば、ホッパ等により作物粒を袋詰めする袋詰め装置が備えられた作物回収装置であってもよい。
【産業上の利用可能性】
【００９９】
本発明は、大豆等の豆類作物を処理対象とするコンバインに限られず、麦、稗、粟、ごま、菜種等を収穫対象とするコンバインにも利用可能である。
【符号の説明】
【０１００】
２３    ：脱穀部
２４    ：選別部
５０    ：第一回収部
５１    ：第二回収部
５４    ：第二選別部
５８    ：ガイド部
６０    ：前部グレンパン（グレンパン）
６１    ：第一選別部
６２    ：波状部
６３    ：平坦部
６４    ：第一案内体
６５    ：第二案内体
７２    ：第一チャフリップ（チャフリップ）
７３    ：第一チャフシーブ（チャフシーブ）
７５    ：上側調整部材
７６    ：有孔領域部
７７    ：無孔領域部
７９    ：ストローラック
８０    ：支持部材
８１    ：傾斜面
１００  ：調整機構
１０１  ：下側調整部材
Ａ１    ：第一短縮状態（短縮状態）
Ａ２    ：第一延長状態（延長状態）
Ｓ      ：隙間
【図１】
0006667230.tif 000002
【図２】
0006667230.tif 000003
【図３】
0006667230.tif 000004
【図４】
0006667230.tif 000005
【図５】
0006667230.tif 000006
【図６】
0006667230.tif 000007
【図７】
0006667230.tif 000008
【図８】
0006667230.tif 000009